(57)【要約】【課題】のし瓦を敷き込まない家屋の勾配屋根にも、装置本体を簡単な構造で確実に設置可能な家屋棟部用換気装置を構成する。【解決手段】足片部２０ａ，２０ｂより立ち上がって相対する脚板部２１ａ，２１ｂと、脚板部２１ａ，２１ｂの各上端間に亘る橋絡板部２２とを折り曲げて形成した止め金具２を備え、その止め金具２を換気口Ｆの長手方向に並べて勾配屋根の野地面に少なくとも二つ取り付けると共に、一本の枕木３を止め金具４の橋絡板部２２に掛渡し固定し、止め金具２の脚板部２１ａ，２１ｂを底板１１の間から屋内側の通気口１６に組み付けて天板１０の頂部１０ｃを枕木３にあてがい固定し、止め金具２を基台として設置可能な装置本体１を備え付ける。【選択図】  図１
2005016053.tif 000002
【特許請求の範囲】
【請求項１】
勾配屋根の棟部から両側の屋根面に亘る断面略傘形状の天板と、天板の各板面と所定の通気間隔を隔てて相対する両側の底板と、天板，底板の各板面から互い違い交互に通気間隔の空間内に起立する複数の邪魔板とを具備し、天板と底板の下端寄りから屋外側の通気口を形成すると共に、底板の上端寄りから屋内側の通気口を形成する装置本体を備え、屋内側の通気口を棟部の換気口に合せ、棟部の換気口を天板の板面で覆い、棟部の換気口より屋内外の空気を出し入れするよう設置される家屋棟部用換気装置において、
両側の足片部と、各足片部より立ち上がって相対する脚板部と、脚板部の上端間に亘る橋絡板部とを平帯状の金属板材から折曲げ形成した止め金具を備え、橋絡板部を勾配屋根の棟部と交差させて配置すると共に、各脚板部を足片部で勾配屋根の野地面に立て付けて少なくとも二つの止め金具を換気口の長手方向に並べて取り付け、一本の枕木を止め金具の橋絡板部に掛渡し固定し、止め金具を底板の間から屋内側の通気口に組み付けて天板の頂部を枕木にあてがい固定し、止め金具を基台として設置可能な装置本体を備え付けてなることを特徴とする家屋棟部用換気装置。
【請求項２】
天板の頂部を下向きコの字状に立上げ形成した装置本体を備えると共に、橋絡板部を各脚板部の上端側より上向きコの状に落込み形成した止め金具を備え、角材の枕木を橋絡部のコの字内に嵌込み固定し、天板を頂部のコの字で枕木に嵌込み固定し、止め金具を基台として設置可能な装置本体を備え付けてなることを特徴とする請求項１に記載の家屋棟部換気装置。
【請求項３】
止め金具の相対する脚板部の間隔に相当する幅と、棟部の換気口に相当する長さと、止め金具の橋絡板部より低い高さを有する長方形の枠板部と、枠板部の長手方向下端から外方に張り出す両側の足板部と、通気孔を有する天板部とからなり、棟部の換気口を枠板部で取り囲み、枠板部を足板部で勾配屋根の野地面に取り付ける内囲い枠を装置本体に備え付けてなることを特徴とする請求項１または２に記載の家屋棟部換気装置。
【請求項４】
底板の下端寄り板面を折り曲げて直立状の立ち壁板部と、立ち壁板部の上端側から下り勾配に傾斜する前板部とを設けると共に、天板の下端寄り板面を折り曲げて下り勾配の斜面板部から底板の板面と相平行で立ち壁板部と所定の間隔を保つ庇板部を設け、その天板と底板の下端寄りから通気間隔よりも狭い屋外側の通気口を形成した装置本体を備え付けてなることを特徴とする請求項１〜３のいずれかに記載の家屋棟部換気装置。
【発明の詳細な説明】
【０００１】
【発明の属する技術分野】
本発明は、勾配屋根の棟部から両側の屋根面に亘る断面略傘形状の天板と、天板の各板面と所定の通気間隔を隔てて相対する両側の底板とを備え、屋内側の通気口を棟部の換気口に合せ、棟部の換気口を天板の板面で覆い、棟部の換気口より屋内外の空気を出し入れするよう設置される家屋棟部用換気装置に関するものである。
【０００２】
【従来の技術】
従来、家屋棟部用換気装置としては、屋外側の通気孔を有する前面板と、通気間隔を隔て相対するよう前面板より折り曲げた天板，底板とから組み立てた装置本体を備え、天板の支持桟を板面の長手方向にあてがい固定すると共に、底板の支持桟を底上げした板面の長手方向にあてがい固定し、棟部の換気口を隔てて相隣り合うのし瓦を支持桟の両端部で上下から挟込み保持することから、棟部の換気口より屋内外の空気を出し入れするよう設置するものが提案されている（特許文献１）。
【０００３】
その家屋棟部用換気装置においては、棟部の換気口を隔てて相隣り合うのし瓦を支持桟の両端部で上下から挟込み保持することから、装置本体を勾配屋根の棟部に設置するものであるため、設置可能な家屋の屋根がのし瓦を敷き込む勾配屋根に限られる。
【０００４】
その他に、棟部用換気装置を内部に収容する冠瓦の釘着固定用として、勾配屋根の野地板にあてがい固定する足片部と、所定の相対間隔を保って足片部から立ち上がる立ち壁板部と、立ち壁板部の上端間に亘る頂板部とからなり、立ち壁板部の各板面を舌片状に切り曲げると共に、切曲げ先端を立ち壁板部の間隔内で互いに圧接させてバネ弾性可能な一対の挟持爪を立ち壁板部に設ける釘の止め金具が提案されている（特許文献２）。
【０００５】
その冠瓦の釘着固定用金具では、棟部の換気口を覆う断面略傘形状の天板を冠瓦と共に釘着固定することにより棟部用換気装置を設置するよう用いられるが、この釘着用としては軸線回り溝付または鍔付の特殊な釘が必要となる。
【０００６】
【特許文献１】
特開平７−２３３６０７号
【特許文献２】
特開平８−８２０４９号
【０００７】
【発明が解決しようとする課題】
本発明は、のし瓦を敷き込まない家屋の勾配屋根にも、装置本体を簡単な構造で確実に設置可能な家屋棟部用換気装置を提供することを目的とする。
【０００８】
それに加えて、本発明は、雨水が外気と共に棟部の換気口まで侵入するのを確実に阻止可能な家屋棟部用換気装置を提供することを目的とする。
【０００９】
【課題を解決するための手段】
本発明の請求項１に係る家屋棟部用換気装置においては、両側の足片部と、各足片部より立ち上がって相対する脚板部と、脚板部の上端間に亘る橋絡板部とを平帯状の金属板材から折曲げ形成した止め金具を備え、橋絡板部を勾配屋根の棟部と交差させて配置すると共に、各脚板部を足片部で勾配屋根の野地面に立て付けて少なくとも二つの止め金具を換気口の長手方向に並べて取り付け、一本の枕木を止め金具の橋絡板部に掛渡し固定し、止め金具を底板の間から屋内側の通気口に組み付けて天板の頂部を枕木にあてがい固定し、止め金具を基台として設置可能な装置本体を備え付けることにより構成されている。
【００１０】
本発明の請求項２に係る家屋棟部用換気装置においては、天板の頂部を下向きコの字状に立上げ形成した装置本体を備えると共に、橋絡板部を各脚板部の上端側より上向きコの状に落込み形成した止め金具を備え、角材の枕木を橋絡部のコの字内に嵌込み固定し、天板を頂部のコの字で枕木に嵌込み固定し、止め金具を基台として設置可能な装置本体を備え付けることにより構成されている。
【００１１】
本発明の請求項３に係る家屋棟部用換気装置においては、止め金具の相対する脚板部の間隔に相当する幅と、棟部の換気口に相当する長さと、止め金具の橋絡板部より低い高さを有する長方形の枠板部と、枠板部の長手方向下端から外方に張り出す両側の足板部と、通気孔を有する天板部とからなり、棟部の換気口を枠板部で取り囲み、枠板部を足板部で勾配屋根の野地面に取り付ける内囲い枠を装置本体に備え付けることにより構成されている。
【００１２】
本発明の請求項４に係る家屋棟部用換気装置においては、底板の下端寄り板面を折り曲げて直立状の立ち壁板部と、立ち壁板部の上端側から下り勾配に傾斜する前板部とを設けると共に、天板の下端寄り板面を折り曲げて下り勾配の斜面板部から底板の板面と相平行で立ち壁板部と所定の間隔を保つ庇板部を設け、その天板と底板の下端寄りから通気間隔よりも狭い屋外側の通気口を形成した装置本体を備え付けることにより構成されている。
【００１３】
【発明の実施の形態】
以下、添付図面を参照して説明すると、図示実施の形態は、図１で示すように波形の屋根瓦Ｒ１を野地板Ｂ１，Ｂ２に敷き込み、丸形の冠瓦Ｒ２を棟部に設置する勾配屋根において、棟部の換気口Ｆより屋内外の空気を出し入れする家屋の棟部用換気装置として設置されている。装置本体１は冠瓦Ｒ２の内部に収容配置し、また、屋根瓦Ｒ１の波伏部に生ずる隙間を漆喰等のコーキング材Ｃで埋めることから勾配屋根の両側に据え付けられている。図１中、装置本体１を含む全体の略左半分は図示省略されている。
【００１４】
その換気装置は、装置本体１，止め金具２，枕木３を揃えると共に、内囲い枠４を加えることから屋根の棟部に設置するよう構成されている。この構成部材１〜４のうち、止め金具２を除いては野地板Ｂ１，Ｂ２を一部切り取って棟部の長手方向に設けられる換気口Ｆの全長に亘るよう形成されている。なお、枕木３としては略正方形の断面形状を有する木製の角材が備え付けられている。
【００１５】
装置本体１は、図２で示すように金属薄板を所定の立体形状に折り曲げて形成した天板１０、底板１１、邪魔板１２，１３から組み立てられている。この装置本体１は、天板１０の傘板部１０ａ，１０ｂを屋根面の勾配角と略相応するよう折り曲げることから、底板１１の板面を屋根瓦Ｒ１の波起部に掛渡し可能に組み立てられている。
【００１６】
天板１０は、傘板部１０ａ，１０ｂが勾配屋根の棟部から両側の屋根面に亘るよう一枚の金属薄板を折り曲げて形成されている。天板１０の頂部１０ｃは、枕木４に嵌まり合うよう下向きコの字状に立ち上げて形成されている。底板１１としては、天板１０の傘板面１０ａ，１０ｂと所定の通気間隔１４を隔てて相対すると共に、所定の相対間隔を上端側に保つよう二枚個別に組み付けられている。
【００１７】
邪魔板１２，１３としては、横断面コの字状に折り曲げた桟状部材が取り付けられている。その桟状部材１２，１３は、中間辺１２ａ，１３ａを天板１０，底板１１の各板面にリベット止めすることから、立上り辺１２ｂ，１２ｃ、１３ｂ，１３ｃが天板１０，底板１１より通気間隔１４の空間に向けて互い違い交互に起立するよう組み付けられている。この邪魔板１２，１３を含む通気間隔１４は、傘板部１０ａ，１０ｂの端部寄りを底板１１の側端まで折り曲げて閉塞するようにできる。
【００１８】
天板１０と底板１１との下端寄りからは、屋外側の通気口１５が形成されている。その屋外側の通気口１５は、底板１１の下端寄り板面を折り曲げて直立状の立ち壁板部１１ａと、立ち壁板部１１ａの上端側から下り勾配に傾斜する前板部１１ｂとを設けると共に、天板１０の下端寄り板面を折り曲げて下り勾配の斜面板部１０ｄから底板１１の板面と相平行で立ち壁板部１１ａと所定の間隔を保つ庇板部１０ｅを設けることにより通気間隔１４よりも狭くなるよう形成されている。
【００１９】
底板１１の上端寄りからは、屋内側の通気口１６が形成されている。その屋内側の通気口１６は、底板１１の上端寄り板面を邪魔板１３の立上り辺１３ｂ，１３ｃと同じ高さの立上げ板部１１ｃとして折り曲げることから、邪魔板１２の立上り辺１２ｃと間隔を隔てて最内側の邪魔板を形成するよう設けられている。
【００２０】
通気間隔１４並びに通気口１５，１６は、支柱ピン１７を天板１０と底板１１との上部側にリベット止めし、また、スペーサ板１８を下部側に立付け固定することから間隔保持されている。その支柱ピン１７，スペーサ板１８は、図２で示すように天板１０並びに底板１１（図示せず）の長手方向に並べて複数個取り付けられている。
【００２１】
スペーサ板１８は、図３で示すようにコの字状に折り曲げた立付け板部１８ａと、立付け板部１８ａの自由端側を外向きに折り曲げたストッパ片１８ｂ，１８ｃと、立付け板部１８ａと重なるよう折り曲げたあてがい板部１８ｃとから形成されている。このスペーサ板１８は、底板１１の立ち壁板部１１ａに設けた開口１１ｄより立付け板部１８ａを天板１０の庇板部１０ｅと底板１１の板面の間に嵌め込み、ストッパ片１８ｂ，１８ｃを開口１１ｄの口縁に掛け止めると共に、あてがい板部１８ｃを天板１０の庇板部１０ｅとリベット止めで固定することから組み付けられている。
【００２２】
止め金具２は、比較的肉厚な金属製の平帯板材から折曲げ形成されている。その止め金具２は、図４で示すように両側の足片部２０ａ，２０ｂと、足片部２０ａ，２０ｂより立ち上がって相対する脚板部２１ａ，２１ｂと、脚板部２１ａ，２１ｂの各上端間に亘る橋絡板部２２とから形成されている。このうち、橋絡板部２２は各脚板部２１ａ，２１ｂの上端側より上向きコの状に落ち込むよう形成されている。
【００２３】
内囲い枠４は、金属薄板を折り曲げて形成されている。この内囲い枠４は、図５で示すように止め金具２の相対する脚板部２１ａ，２１ｂの間隔に相当する幅と、換気口Ｆ（図１参照）の長手方向に相当する長さと、止め金具２の橋絡板部２２より低い高さを有する長方形の枠板部４０を本体として形成されている。また、枠板部４０の長手方向下端から外方に張り出す両側の足板部４１ａ，４１ｂと、長穴状の通気孔４２を長手方向に複数設けた天板部４３とを備えて形成されている。
【００２４】
上述した構成部材を備えては、まず、図６で示すように枠板部４０を棟部の換気口Ｆに位置合わせし、足板部４１ａ，４１ｂを野地板Ｂ１，Ｂ２。の板面にあてがうことから、内囲い枠４を勾配屋根の棟部に据え付ける。次に、内囲い枠４を脚板部２１ａ，２１ｂの内側に受け入れ、足片部２０ａ，２０ｂを足板部４１ａ，４１ｂの上に載せて野地板Ｂ１，Ｂ２。の板面に釘着固定することから、止め金具２を内囲い枠４と共に勾配屋根の棟部に取り付ける。その止め金具２は、所定の間隔を隔てて内囲い枠４の長手方向に三つ程度（図２参照）取り付ければよい。
【００２５】
止め金具２には、図７で示すように枕木３を上向きコの状の橋絡板部２２に嵌め込んで橋絡板部２２の側面から釘着固定することから、内囲い枠４の上部側で換気口Ｆの長手方向に掛け渡すよう取り付ける。この際に、止め金具２の橋絡板部２２が上向きコの状に形成されているため、枕木３を上向きコ内に嵌め込んで簡単に組付け固定できる。
【００２６】
枕木２の取付け後乃至は前には、図８で示すように屋根瓦Ｒ１を勾配屋根の両側に所定通り敷詰め施工する。また、上述したように屋根瓦Ｒ１の波伏部に生ずる隙間を漆喰等のコーキング材で埋める。その後に、装置本体１を枕木３の上側から被せて傘板部１０ａ，１０ｂを勾配屋根の両側に掛渡し配置する。この装置本体１は、下向きコの字状に折り曲げられた頂部１０ｃを枕木３の上側から嵌め合わすことから簡単に位置決めさせて釘着固定できる。
【００２７】
最後に、図９で示すように冠瓦Ｒ２を棟部の長手方向に複数組み付けることから、装置全体を冠瓦Ｒ２の内側に収容配置すればよい。この冠瓦Ｒ２は天板１０の庇板部１０ｅにまで被り、外側の通気口１５が冠瓦Ｒ２から外部に露出するよう寸法設定されている。なお、冠瓦Ｒ２は枕木３に釘着固定し、または瓦相互を漆喰等で連結固定することから取り付けられる。
【００２８】
このように、止め金具２を基台として設置可能な装置本体１を備えるため、家屋棟部用換気装置としてはのし瓦を敷き込まない家屋の勾配屋根にも簡単な構造で確実に設置できる。
【００２９】
その家屋棟部用換気装置では、図１０で示すように屋外空気を屋外側の通気口１５から取り込んで通気間隔１４を経て屋内側の通気口１６より棟部の換気口に流動し、逆の経路を経て屋内空気を屋外側の通気口１５より放出することから屋内外の空気を換気できる。
【００３０】
その屋外空気の取込みにあたり、雨水を伴う風が上方から屋外側の通気口１５に向かっても、屋外側の通気口１５が通気間隔１４よりも狭くなるよう形成されているため、この雨水を伴う風の侵入を少なく抑えられる。勾配屋根の下方から上方に向かう風については、立ち壁板部１１ａの上端側に向けて上り勾配を呈する前板部１１ｂにより上方に舞い上がらせられるから屋外側の通気口１５に流れ込むのを防げる。
【００３１】
その雨水を伴う風が屋外側の通気口１５より通気間隔１４に入り込んでも、邪魔板１２ｂ，１２ｃ、１３ｂ，１３ｃで蛇行しながら流動することから、雨水が水切りされる。また、雨水が邪魔板１２ｂ，１２ｃ、１３ｂ，１３ｃで完全に水切りされていないとしても、内囲い枠４で遮られるため、棟部の換気口まで至らない。従って、雨水が外気と共に棟部の換気口まで侵入するのを確実に阻止できる。
【００３２】
上述した実施の形態は、波形の屋根瓦Ｒ１を敷込み施工する場合に基づいて説明したが、スレート板等の平板を屋根瓦として敷込み施工する場合にも適用できる。この平板を屋根瓦とする場合には、立上り高さの相対的に低い止め金具２並びに内囲い枠４を組み付けられる。また、のし瓦を敷き込まない家屋の勾配屋根に基づいて説明したが、のし瓦を敷込み施工する家屋の勾配屋根にも同様に適用できる。
【００３３】
【発明の効果】
以上の如く、本発明の請求項１に係る家屋棟部用換気装置に依れば、一本の枕木を止め金具の橋絡板部に掛渡し固定し、止め金具の脚板部を底板の間から屋内側の通気口に組み付けて天板の頂部を枕木にあてがい固定し、止め金具を基台として設置可能な装置本体を備え付けることにより、のし瓦を敷き込まない家屋の勾配屋根にも簡単な構造で確実に設置できる。
【００３４】
本発明の請求項２に係る家屋棟部用換気装置に依れば、天板の頂部を下向きコの字状に立上げ形成した装置本体を備えると共に、橋絡板部を各脚板部の上端側より上向きコの状に落込み形成した止め金具を備え、角材の枕木を橋絡部のコの字内に嵌込み固定し、天板を頂部のコの字で枕木に嵌込み固定し、止め金具を基台として設置可能な装置本体を備え付けることにより、枕木を止め金具の上向きコ内に嵌め込んで簡単に組付け固定できると共に、装置本体を下向きコの字状に折り曲げられた頂部で枕木の上側から嵌め合わすことから簡単に位置決めさせて取付け固定できる。
【００３５】
本発明の請求項３に係る家屋棟部用換気装置に依れば、止め金具の相対する脚板部の間隔に相当する幅と、棟部の換気口に相当する長さと、止め金具の橋絡板部より低い高さを有する長方形の枠板部と、枠板部の長手方向下端から外方に張り出す両側の足板部と、通気孔を有する天板部とからなり、棟部の換気口を枠板部で取り囲み、枠板部を足板部で勾配屋根の野地面に取り付ける内囲い枠を装置本体に備え付けることにより、雨水が邪魔板で完全に水切りされていないとしても内囲い枠で遮られるため、雨水が外気と共に棟部の換気口まで侵入するのを確実に阻止できる。
【００３６】
本発明の請求項４に係る家屋棟部用換気装置に依れば、底板の下端寄り板面を折り曲げて直立状の立ち壁板部と、立ち壁板部の上端側から下り勾配に傾斜する前板部とを設けると共に、天板の下端寄り板面を折り曲げて下り勾配の斜面板部から底板の板面と相平行で立ち壁板部と所定の間隔を保つ庇板部を設け、天板と底板の下端寄りから通気間隔よりも狭い屋外側の通気口を形成した装置本体を備え付けることにより、雨水を伴う風が上方から屋外側の通気口に向かっても、この風の侵入を通気間隔よりも狭い屋外側の通気口で少なく抑えられ、また、勾配屋根の下方から上方に向かう風についても前板部で上方に舞い上がらせられるから屋外側の通気口に流れ込むのを防げる。
【図面の簡単な説明】
【図１】本発明に係る家屋棟部用換気装置の設置構造を示す説明図である。
【図２】図１の家屋棟部用換気装置を構成する装置本体を示す平面図である。
【図３】図１の家屋棟部用換気装置を構成する装置本体を示す横断面図である。
【図４】図１の家屋棟部用換気装置を構成する止め金具を示す斜視図である。
【図５】図１の家屋棟部用換気装置を構成する内囲い枠を部分的に示す斜視図である。
【図６】図１の家屋棟部用換気装置を構成する内囲い枠，止め金具の取付構造を示す説明図である。
【図７】図１の家屋棟部用換気装置を構成する枕木の取付構造を示す説明図である。
【図８】図１の家屋棟部用換気装置を構成する装置本体の取付構造を示す説明図である。
【図９】図１の家屋棟部用換気装置を覆う冠瓦の取付構造を示す説明図である。
【図１０】図１の家屋棟部用換気装置による換気経路を示す説明図である。
【符号の説明】
１                装置本体
１０              天板
１０ｄ            天板の斜面板部
１０ｅ            天板の庇板部
１１              底板
１１ａ            底板の立ち壁板部
１１ｂ            底板の前板部
１２，１３        邪魔板
１４              通気間隔
１５              屋外側の通気口
１６              屋外側の通気口
２                止め金具
２０ａ，２０ｂ    止め金具の足片部
２１ａ，２１ｂ    止め金具の脚板部
２２              止め金具の橋絡板部
３                枕木
４                内囲い枠
４０              内囲い枠の枠板部
４１ａ，４１ｂ    内囲い枠の足板部
４２              内囲い枠の通気孔
４３              内囲い枠の天板部
Ｆ                棟部の換気口
【図１】
2005016053.tif 000003
【図２】
2005016053.tif 000004
【図３】
2005016053.tif 000005
【図４】
2005016053.tif 000006
【図５】
2005016053.tif 000007
【図６】
2005016053.tif 000008
【図７】
2005016053.tif 000009
【図８】
2005016053.tif 000010
【図９】
2005016053.tif 000011
【図１０】
2005016053.tif 000012